Podtech/llm-jp-corpus-v4-ja_patent huggingface dataset:
(57)【要約】【課題】本発明は、浄化する水量の多い池、沼等の場合に適しており生活排水、農業排水、産業廃水等に含まれる有害化学物質や重金属を吸着、除去することの汚水清浄化装置、汚水循環装置の技術である。魚類保護、植物の生息できる環境を提供することにある。しかも、高度な設備費用を必要としない汚水の清浄化装置、循環機能を備えた装置であること。【解決手段】珪藻土、木質破砕、不織布の多孔質体にバクテリアを含有、吸着させる汚水の清浄化装置と汚水の清浄化、循環装置の能力技術の開発である。蛋白質の腐敗臭、動物の排泄物質等の分解チッソ、リンサン等の残留農薬の吸着分解、流失油等の有害物質の吸着、静菌作用、有効微生物の生息環境を整え優れた効果を発揮します。超微細、超多孔質の天然素材は残留農薬や重金属を吸着分解します。においの二次発生源である雑菌の繁殖を防止し脱臭効果がある。アンモニア、チッソの除去。重金属イオンの吸着除去、染色排水の脱色浄化、放射性廃水の処理、硬水の軟水化をする。アンモニアガスの吸着もあり、ガス体の分離として酸素、チッソの分離をする。アンモニア、チッソの吸着による脱臭作用、環境改善をし、環境保護、保全に貢献することを特徴とする。【特許請求の範囲】
【請求項１】
多孔質の珪藻土、木質破砕のシリカ構造を不織布に屈曲形成状に含有させフイルタ効果と濾過効果をなす流路を設けてなることを特徴とした汚水の清浄化装置と汚水の清浄化循環装置。。
【請求項２】
珪藻土、木質破砕の多孔質物質構造の微細な孔にバクテリアの付着作用により、汚水の微生物が分解され汚水の清浄化をもうけてなることを特徴とした装置。
【請求項３】
珪藻土、木質破砕、不織布の多孔質構造の特性を活用し、フイルタ、濾過効果が単独、複合化構成を用途に応じて循環作用にてなることを特徴とした汚水の清浄化装置。
【発明の詳細な説明】
【技術分野】
【０００１】本発明は汚水の清浄化に関するものであり、汚水が社会問題となり本発生に係る産業汚水、生活汚水、農業汚水等の汚泥分解、水質浄化処理技術の向上を図ることにより水質浄化処理に寄与する。
微生物を生息させることにより汚泥の有機物を炭酸ガスと水に分解低減させ水質を浄化する。
【背景技術】
【０００２】水槽、池、沼において水質汚染が環境問題となっている。生活排水、農業排水、産業廃水により水質の悪化が進んでいる。景観、悪臭、魚類、植物の生息に問題が起きている。
対策として設備、機材が投入されているものの、十分な処理水対策にいたっていない。
【発明の開示】
【発明が解決しようとする課題】
【０００３】本発明は、汚水から、化学物質、重金属、リン、チッソ、アンモニア、重金属などを吸着し微生物、細菌類を自然分解させることにより微生物担体の栄養分に変え、水質浄化により、自然環境を復元させる。【０００４】珪藻土は、秋田県北秋田市より産出する多孔質珪藻土。木質は秋田県産出する木材。これらを製造加工混合することが望ましい。
この新技術は、環境ホルモンを含む処理用途に拡大できる。【０００５】本発明は、珪藻土、木質破砕、不織布の有用性の組み合わせを環境改善材としての提供を目的とする。
【課題を解決するための手段】
【０００６】水質浄化については、数多くの提案がなされ実用化されているものの、設備投資額と多大なる費用と人力を必要としたが、生態系に汚染を引き起こしていた。
また、水質汚水及び重金属の水質浄化が河川に放出され自然汚染や二次製品による環境破壊、水質汚染、悪臭に問題があった。
珪藻土を粉砕し８００度以上で焼成する処理方法。木質粉砕物質の多孔質構造機能、不織布の組み合わせを向上させたものを特徴とする。
本発明の汚水の清浄化剤はドロやアオコ、水質の消臭を吸収分解する環境浄化剤であり環境汚染はなく水深、水域、沼、湖の微生物が流されず維持管理費の少ない水質浄化剤です。
汚水の清浄化装置に珪藻土、炭素源としての木質破砕の粒子を不織布の多数屈曲の袋状に混入する。汚染の原因であるチッソやリンなどの物質浄化と水質浄化において微生物作用により水質浄化作用がある。使用後は土壌改良剤として還元され資源循環型社会の推進とする。【０００７】前記珪藻土の組成分析結果を［表１］に示す。
【発明の効果】
【０００８】天然素材の珪藻土、木質破砕、不織布の有用な特徴と細孔部に吸着保持された微生物の相乗効果によってこれまでにない優れた環境改善材と装置を得ることができた。
天然資源が有する特性から、独自効果の大きい作用が発見された。【０００９】さらに環境改良材として、持続的効果の得られることが発見された。【００１０】有用な微生物を多孔質体に付着、植え付け、浸透させることにより汚水の清浄化と汚泥の有機物を分解し生魚しやすい環境とする。
本発明による汚水の清浄化とその装置の汚泥分解、水質浄化剤は、安全性、経済性ともに優れ、低コストでしかも実用に優れた分解を特徴とする環境用材に関する。
【発明を実施するための最良の形態】
【００１１】珪藻土、木質破砕、不織布の混合物から成り、汚水及び有害物質を除去する。【００１２】本発明の水質浄化剤は天然多孔質物質をベースとしており人畜無害を特徴とする。
【産業上の利用可能性】
【００１３】本発明に係る水質浄化剤によって汚泥分解することから汚染池、沼に散布、袋状に対応することにより微生物の有機物の分解作用によって汚水の清浄化と汚泥を低減分解する。
［書類名］図書
【表１】
2010234351.tif 000002
(57)【要約】【課題】    この発明は、牛等が自力分娩できず胎児を取り出すのに、一人の労力でも分娩補助を可能にした分娩補助用具を提供する。【解決手段】    チェーン（３）の一端にフック（１）を設け、チェーン（３）のもう一方の一端にシンブル（４）を設け、シンブル（４）にロープ（５）を設け、ロープ（５）を滑車（Ｂ）に通し、次に滑車（Ａ）に通し、滑車（Ｂ）にロープ（６）を設けたことを特徴とする。【選択図】図１
2010234038.tif 000002
【特許請求の範囲】
【請求項１】
（イ）チェーン（３）の一端にフック（１）を設ける。
（ロ）チェーン（３）のもう一方の一端にシンブル（４）を設ける。
（ハ）シンブル（４）にロープ（５）を設ける。
（ニ）ロープ（５）を滑車（Ｂ）に通し、次に滑車（Ａ）に通す。
（ホ）滑車（Ｂ）にロープ（６）を設ける。
以上のように構成された一人でもできる牛等の分娩補助用具。
【発明の詳細な説明】
【技術分野】
【０００１】  この発明は、牛等が自力分娩できず胎児を取り出すのに一人の労力でも分娩補助を可能にした分娩補助用具である。
【背景技術】
【０００２】  牛等の分娩時に、自力分娩できない時、一人の労力で分娩補助をできる、分娩補助用具がなかった。
【先行技術文献】
【０００３】
【特許文献１】  特開平１１年−２８５３２６号公報
【発明の概要】
【発明が解決しようとする課題】
【０００４】  一人の労力しかなく、牛等が自力分娩できない時、胎児死ということが、多々見受けられた。
いち早く取り出すため、取り付けが簡単、重くない、強度がある、数人分の力が出せる、胎児の出し入れ等状況に応じた作業を可能にし、一人の労力で分娩補助ができることを目的とする。
【課題を解決するための手段】
【０００５】  （イ）チェーン（３）の一端にフック（１）を設ける。
（ロ）チェーン（３）のもう一方の一端にシンブル（４）を設ける。
（ハ）シンブル（４）にロープ（５）を設ける。
（ニ）ロープ（５）を滑車（Ｂ）に通し、次に滑車（Ａ）に通す。
（ホ）滑車（Ｂ）にロープ（６）を設ける。
以上のように構成された分娩補助用具。
【発明の効果】
【０００６】  滑車（Ｂ）に付けたロープ（６）を牛等の後方に固定できる柱等に結び、胎児の足に掛けた産科チェーン等にフック（１）を掛る。
滑車（Ａ）を通ったロープ（５）を人の腰に巻きながら固定できる。
外陰部から中に手を入れ、胎児の頭を産道に誘導しながら、片手を添え、腰に体重を掛けながら引ける。
２個の滑車（Ａ、Ｂ）を使用することにより、４人分の力となり、腰に巻き固定することにより、体重で引けるため、牛等の体内にいる胎児を、手を使って産道に誘導したり、状況に応じて、出し入れができ、一人の労力でも牛等の分娩補助を可能にした。
【図面の簡単な説明】
【０００７】
【図１】本発明の全体図である
【図２】本発明の部品図である
【図３】本発明の使用図である
【発明を実施するための形態】
【０００８】  本発明の実施の形態について説明する。
（イ）チェーン（３）の一端にフック（１）を設ける。
（ロ）チェーン（３）のもう一方の一端にシンブル（４）を設ける。
（ハ）シンブル（４）にロープ（５）を設ける。
（ニ）ロープ（５）を滑車（Ｂ）に通し、次に滑車（Ａ）に通す。
（ホ）滑車（Ｂ）にロープ（６）を設ける。
以上のように構成された分娩補助用具。
次に本発明の使い方を説明する。
分娩補助用具において、Ｂの滑車にロープを付けておくことにより、早く、牛等の後方に取り付けができる。
分娩補助用具において、滑車２個を使用することにより、胎児の出し入れ等、状況に応じた作業ができ、４人分の力を出すことを特徴とする。
分娩補助用具において、５０ｋｇ代までの胎児を取り出すための強度を全ての部品に有することを、特徴とする分娩補助用具であり、さらに、Ａの滑車を取り付けている部品は下後方に引く力とＢの滑車に向う力でより負荷がかかるため、さらに強度を有することを特徴とする分娩補助用具である。
分娩補助用具において、仕事のしやすさから一定以上の重量にならないことを、特徴とする分娩補助用具である。
引っ張る物の材料には、チェーン（３）とロープ（５）を用い、チェーン（３）とロープ（５）の継ぎ手にシンブル（４）を使用、チェーン（３）の片方に胎児の足に付けた産科チェーン等に掛けるためのフック（１）を用い、滑車（Ａ）はジャックル（２）を使用し、取り付ける。
滑車（Ｂ）のロープ（６）を柱等に結び、ロープ（５）を滑車（Ｂ）に通し、次に滑車（Ａ）に通すようにする。
滑車（Ａ）を通ったロープ（５）を腰に巻き固定し片手を添え体で引けるため、胎児の頭を手で産道に誘導することができ、一人の労力でも牛等の分娩補助ができる。
【符号の説明】
【０００９】１  フック
２  ジャックル
３  チェーン
４  シンブル
５  ロープ
６  ロープ
Ａ  滑車
Ｂ  滑車
【図１】
2010234038.tif 000003
【図２】
2010234038.tif 000004
【図３】
2010234038.tif 000005
(57)【要約】      （修正有）【課題】年齢に関係なく、またどこでも、どんな時でも使用できるとともに、衣服等を汚すことなく、使用後も簡単に汚物を処理できる簡易トイレを提供する。【解決手段】便器本体はハンドル１と便器２とからなり、便器２はワイヤー入り合成樹脂で形成され、使用するときは、便器２に受け部となるビニール３をかぶせ使用するが、便器２に性器部分と肛門部分が納まり、股下に合わせ密着するよう変形させることができるようにしている。使用後には、ビニール３を便器２から取り外し廃棄する。【選択図】図５
2010234036.tif 000002
【特許請求の範囲】
【請求項１】
本発明の道具を変形させ子供の股下に密着に調節できるよう中にワイヤーで構成した。
【請求項２】
汚物を入れる袋が滑らないようにワイヤーの周りを合成樹脂でこーティングした。
【請求項３】
本発明の道具をコンパクトにさせるためスライド可能にした。
【発明の詳細な説明】
【技術分野】
【０００１】  本発明は子供の簡易トイレに関するものである
【背景技術】
【０００２】  従来より、簡易トイレでは組み立てのもの、コップのようなものにおしっこをし処理するもの、また、トイレの便座に取り付ける折りたたみの道具などがある。
【発明の概要】
【発明が解決しようとする課題】
【０００３】  ところが前記簡易トイレや取り付け具では汚物が跳ねて衣服が汚れたり、手や道具が汚れることがある。また移動したり待ち時間があることから我慢できずに漏らすことがある。【０００４】  そこで本発明は、性器部分と肛門部分が道具の中にきれいに納まるよう形状を変形させ簡単、清潔に汚物を処理できることを目的とする。
【課題を解決するための手段】
【０００５】  すなわちおしっこと大便を同時に出来る様本発明の道具にビニールをかぶせ、性器と肛門を覆いあてることができビニールを取るだけで簡単に汚物を処理できる。ビニールを道具にかぶせるため道具は一切汚れない。また衣服も汚物などがはねる心配がない。
【発明の効果】
【０００６】  請求項１の記載の発明によればどこでも簡単にトイレができ汚物処理ができる。【０００７】  請求項２に記載の発明より簡単に形状が変形できるため汚物の飛び散りがない【０００８】  請求項３に記載のように、請求項１の発明はどこでも使用可能のため移動せずに即行動できる。また道具などが汚れることがない。
【図面の簡単な説明】
【０００９】
【図１】本発明の第一実施形態を示す簡易トイレの正面図。
【図２】同じく簡易トイレの右側図面。
【図３】第２実施形態を示した正面図。
【図４】第２実施形態を示した右側面図。
【図５】第３実施形態を示した正面図。
【図６】第３実施形態を示した右側面図。
【発明を実施するための形態】
【実施例】
【００１０】  以下、本発明を具体化した第１実施形態を図面に基づいて説明する。【００１１】  図１、図２に示したものは基本の形である。【００１２】  図３、図４に示したものは使用する際に形状を変形させたものである。使用する際の形である。【００１３】  図５、図６に示したものは使用する際にビニールをかぶせ入れたものである。
本発明は以上を述べた実施例に限定されるものでない
【符号の説明】
【００１４】１、    ハンドル
２、    便器
３、    ビニール
【図１】
2010234036.tif 000003
【図２】
2010234036.tif 000004
【図３】
2010234036.tif 000005
【図４】
2010234036.tif 000006
【図５】
2010234036.tif 000007
【図６】
2010234036.tif 000008
(57)【要約】【課題】  病気や臨月の近づいた妊産婦の人、またはスポーツ疲労の人が就寝時などに突然発生するこむら返りは、ひどい場合には筋の断裂が起こり、日常の生活に支障をきたす。こむら返りの原因のひとつとして就寝時などに思わず無意識で行う「身体の伸び」が挙げられる。「身体の伸び」の末端である「くるぶしからつま先への伸び」の動作に連動して突然ふくらはぎの筋が膝裏の方向に収縮して塊になり強烈に痙攣するいわゆるこむら返りを発症する。この予防策として足首を固定して「くるぶしからつま先への伸び」を制限する装具を提供する。【解決手段】  「身体の伸び」を行うときに、「くるぶしからつま先への伸び」が出来ないように足首を本発明の装具で固定する。【選択図】図７
2010234040.tif 000002
【特許請求の範囲】
【請求項１】
病気やスポーツ疲労の人がつま先までの「身体の伸び」の動作を行うと、こむら返りが発症し易い。そこで「くるぶしからつま先への伸び」が出来なくなるように足首の動きを固定する装具。
【請求項２】
こむら返り防止のために、足の甲と向こう脛の間の足首の曲げ角度を任意の角度で固定するか、半固定または可動する角度の範囲を制限する足首の固定用装具。
【請求項３】
図１から図４までは、こむら返り防止のために装着する器具の右足首においての固定位置を示したものである。（従って左足首の場合は反対の図となる。）
装具の形状は図１から図４の固定方法を単独、或いは組み合わせて足首の固定効果を出す。
装具の形状は、袋状、筒状、板状、或いは紐状などの形状に成形加工したものの単体またはその組み合わせである。足への固定方法はバンドやマジックテープなどの装着補助具を用いる場合もある。
【発明の詳細な説明】
【技術分野】
【０００１】本発明は、就寝時などに「身体の伸び」をすることで発症するこむら返りを防止するための足首固定装具である。
【背景技術】
【０００２】従来は、テーピングや一般的なサポーターなどによる患部の保温、患部の圧迫、足指を甲側に反らすなどの方法でこむら返りの発生を防ごうとしたが、それほどの効果は得られず、反対に血行が妨げられるなどの欠点があった。本発明のように足に装具をゆるめに装着して「くるぶしからつま先への伸び」を抑制し、完全にこむら返りを防止する装具は無かった。
【発明の開示】
【発明が解決しようとする課題】
【０００３】病気や妊産婦の人、またはスポーツ疲労の人が就寝時などに突然発生するこむら返りは、就寝に対しての恐怖感をもたせたり、ひどい場合には筋の断裂が発生してスポーツが出来なくなったり日常の生活に大きな支障をきたす。一度発症すると慢性化し易くこれまでは決定的な予防策が無かった。就寝時に「身体の伸び」に伴い図５のようにくるぶしからつま先への伸びをすると、突然それに誘発されてふくらはぎの筋が膝裏の方向に収縮して塊になり強烈に痙攣、いわゆるこむら返りを起こして痛み苦しむ。
【課題を解決するための手段】
【０００４】図１から図４は、右足の例であり、左足の場合にはこれらの図の反対とする。解決の手段としては図面上の符号１、３、５、７のそれぞれ、またはそれらを組み合わせた固定具により、足首の間接の動きを制限して、下肢が伸びの動作をしても「くるぶしからつま先にかけての伸び」が出来ないようにする。それぞれの図面上では１方向への固定具のみしか図示していないが、実際の装具は筒状や板状、紐状等の形状にして、単体またはそれらを組み合わせて足首を固定する。必要であればベルトやマジックテープなどの補助具を併用して足首に固定する。
【発明の効果】
【０００５】就寝中やテレビ観賞時等に突発する慢性のこむら返りに悩んでいた患者（本特許の申請者本人である私）が、こむら返りの発症は「身体の下肢の伸び」をきっかけとすることを発見。下肢の末端である「くるぶしからつま先への伸び」を不可能にする本装具を試作し装着して就寝したところ、こむら返りは完全に防止出来た。本発明により、こむら返りの恐怖で悩む人たちが数多く救済される
【発明を実施するための最良の形態】
【０００６】図１から図４は、足首を固定する位置を示したものであるが、実用上は、図６のように製作する。先ず、足首の伸びが出来ない構造にしなくてはならない。図１から図４までの例では足首の角度が固定されているが、角度調整が可変出来る構造にしても良い。材質は布や合成樹脂、合成皮革、金属など単体使用もしくは２種以上の組み合わせでの使用等、材質の硬軟も考慮する。就寝時にも装着するので高い通気性、保温性と肌合いをも考慮したい。装着に際しては、つま先の伸びを防ぐだけの目的なので症状に合わせて足首の角度をある程度は自由に動作可能にしてよい。
従って足首とつま先を装具で固く締め付けて圧迫することがないので、テーピングや一般的なサポーター等と異なり、血行を妨げる危険が無く歩行を妨げる影響も少ない。
足に装着するための方法は、直接履くか、マジックテープやホック、バンド、紐類などを応用して装着する。いずれにしても就寝時等に寝具を傷めず、また自分の身体に触れても違和感の無い素材を択びデザインする。
【実施例】
【０００７】図６、図７参照。足首の角度調整を足の甲でクロスするバンドの引き具合で調整するタイプの構造である。つま先の伸びを抑制するために平板な布などで足先全体をくるみ、クロスするバンドで足先を引き、足首で固定しても良いが、この実施例では足先がより簡単に包み込まれるように足先部分が袋状になっている装具を製作した。装着固定は装具両端のマジックテープで行う。
【図面の簡単な説明】
【０００８】
【図１】踵側で足首を固定した図
【図２】脛と甲側で足首を固定した図
【図３】踵の左側で足首を固定した図
【図４】踵の右側で足首を固定した図
【図５】「下肢の伸び」をしたときに、その伸びに反して発生するふくらはぎの筋の収縮、つまりこむら返りを描いた図である。
【図６】図１から図４までの足首固定の方法を応用した装具のデザイン例
【図７】図６を左足に装着した例。
【符号の説明】  １  踵側で足首を固定する固定具
２  症状に応じて固定角度を可変できるようにしても良い。
３  脛と甲側で足首を固定する固定具
４  症状に応じて固定角度を可変できるようにしても良い。
５  踵の左側で足首を固定する固定具
６  症状に応じて固定角度を可変できるようにしても良い。
７  踵の右側で足首を固定する固定具
８  症状に応じて固定角度を可変できるようにしても良い。
９  くるぶしからつま先への伸びをした図。
１０  符号９に続いて、ふくらはぎの筋が急激に収縮、痙攣している図。
１１  マジックテープＡ
１２  袋状の足先入れ
１３  マジックテープＢ
【図１】
2010234040.tif 000003
【図２】
2010234040.tif 000004
【図３】
2010234040.tif 000005
【図４】
2010234040.tif 000006
【図５】
2010234040.tif 000007
【図６】
2010234040.tif 000008
【図７】
2010234040.tif 000009
(57)【要約】【課題】  足先が外向きに開いた形で地に足をつけている人が、ゴルフでスウィングの後フィニシュを取ろうとすると、右打ちの場合アドレスの時の左足のままではバランスを崩し、うまく左足に体重が乗ったフィニシュはできなかった。  本発明は、足先が外向きに開いた形で地に足をつけている人が、ゴルフスウィングで、右打ちの場合うまく左足に体重が乗ったフィニッシュができるリードする側の足用ゴルフシューズを提供する。【解決手段】  外シューズの中にインナーシューズを設け、それを土踏まずの辺りで回転させ、足先が開くようにする。【選択図】図３
2010234037.tif 000002
【特許請求の範囲】
【請求項１】
外シューズの中にインナーシューズを設け、インナーシューズの土踏まず辺りの底部を外シューズ内側に回転部で接合し、回転部にスプリングを設ける。足首にあたる部分は布など伸縮性のソフトな感触の素材を用い、マジックテープのようなもので簡単に固定できるようにしたことを特徴とするリードする側の足用ゴルフシューズ。
【発明の詳細な説明】
【技術分野】
【０００１】    本発明は、ゴルフシュ−ズのリ−ドする側の足用に関するものである。
【背景技術】
【０００２】    従来、ゴルフシューズは地面をグリップし体重を受け止め、滑らないことを主に考えられている。
【先行技術文献】
【０００３】
【特許文献１】  公開実用新案公報  昭５９−３８８０４
【特許文献２】  公開実用新案公報  昭５９−１１４００２
【特許文献３】  公開実用新案公報  実開平７−３３０５
【発明の概要】
【発明が解決しようとする課題】
【０００４】    足先が外向きに開いた形で地に足をつけている人が、ゴルフでスウィングの後フィニッシュを取ろうとすると、右打の場合アドレスの時の左足のままでは、つっかかって前のめりになったり、踵側に傾いたり、あるいは左足を上げて右足に体重を乗せたりして、左足に体重が乗ったフィニシュはできなかった。また爪先側に、あるいは踵側に体重を掛けると、ひっ掛かって上手く回転しないし、バンカーの中で使用すると、砂をかんだりして、これもまた上手く回転しなかった。（特許文献２）については、シューズは回転するけれども、止まるところがないので、ゴルフでいうところの左の壁ができず、足で地面をつかまえて、インパクトをすることができなかった。
本発明は、以上の問題点を解決するためになされたものである。
【課題を解決するための手段】
【０００５】    外シューズの中にインナーシューズを設け、インナーシューズの土踏まず辺りの底部を外シューズ内側に回転部で接合し、回転部にスプリングを設ける。足首にあたる部分は布など伸縮性のソフトな感触の素材を用い、マジックテープのようなもので簡単に固定できるようにする。
以上の構成よりなるリードする側の足用ゴルフシューズ
【発明の効果】
【０００６】    従来、足先が外向きに開いた形で地に足をつけている人が、ゴルフスウィングで、インパクト、フィニッシュをきっちり決めるのは難しかったが、本発明により左足が回転し、その後止まるのでそこでインパクトをして、その後足を踏ん張って左足に体重が乗ったフィニッシュを決めることができる。
【図面の簡単な説明】
【０００７】
【図１】  本発明の斜視図
【図２】  本発明の平面図
【図３】  本発明の側面図
【図４】  回転部拡大図
【発明を実施するための形態】
【０００８】    以下、本発明の実施の形態を説明する。
（イ）外シューズ（１）の中にインナーシューズ（２）を回転部（６）で接合する。
（ロ）回転部（６）にスプリング（３）を設ける。
（ハ）足首の当たる部分に、伸縮性の布きれ（４）を使う。
（ニ）マジックテープ（５）で足首の所で固定する。
本発明は以上のような構造である。
本発明を使用するときは、インナーシューズ（２）の中に左足を入れ、いつものようにゴルフスウィングをすると、インパクトの前に左足が回転して３０度程度開き外シューズの壁で止まる。その左足の状態でインパクトができ、続いて左足に体重が乗ったきっちりとしたフィニッシュができる。
【符号の説明】
【０００９】    （１）外シューズ、（２）インナーシューズ、（３）スプリング、（４）伸縮性の布きれ、（５）マジックテープ、（６）回転部、（７）ストッパーＡ，（８）ストッパーＢ
【図１】
2010234037.tif 000003
【図２】
2010234037.tif 000004
【図３】
2010234037.tif 000005
【図４】
2010234037.tif 000006
(57)【要約】      （修正有）【課題】個々の顔面形状に合致した形状で有害物質の吸引、飛散を防ぐ気密性を有し、眼鏡の曇り、肌の蒸れ、着用時の下方へのズレなどを解消するマスクの提供。【解決手段】金属フレ−ム１を用いて、個々の顔面形状に合わせた形を整え、個人用フレ−ムを製作する。次に、不織布で形成したマスク３内部に、防水処理、吸水材を施し、気密性確保のため顔肌に接する部位には軟性材６を使用する。これを、外側カバ−で覆う事により適度の圧力をもたらし、マスク全体の気密性を向上させる事となり、従来のマスク素材の能力を最大に発揮するものである。【選択図】図１
2010234035.tif 000002
【特許請求の範囲】
【請求項１】
次の３種の部材から成る、気密性を確保するためのマスク。
（イ）あらかじめ卵形に形成した金属フレ−ムを、個々の顔面形状に合わせて再度曲げ調整を行い、顔面と合致させる。
（ロ）眼鏡の曇り止めのための一部防水処理、蒸れ解消のための水分吸収剤、気密性確保のための軟性材を外周に用いた、取替え用の不織布のマスク部。
（ハ）金属フレ−ムに組付けた取替え部マスクに、顔面に対し適度の圧力をかけるための外側カバ−。
【発明の詳細な説明】
【技術分野】
【０００１】  本発明は気密性を高める事により、有害物質の排除と咳などの飛散を防ぐと供に眼鏡の曇り、内部の蒸れ、着用時の下方へのズレなどを解決しようとするためのマスクである。
【背景技術】
【０００２】  従来のマスクは素材の質は著しく向上したが、気密性が不備のため、素材の能力はほとんど発揮されていない。さらに眼鏡の曇りや内部の水分による肌の蒸れ、着用時の下方へのズレなどが生じる事で着用して安心感を得られるものではない。
【発明の開示】
【発明が解決しようとする課題】
【０００３】  そのために、次のような問題点があった。
（イ）特に小鼻回りの気密性はほとんどない事で、有害物質の排除や、咳などの外部への飛散を防ぐ事は困難であった。
（ロ）眼鏡着用時のレンズの曇りが発生した。
（ハ）マスク内部の水分による肌の蒸れが生じた。
（ニ）アゴを動かす事で下の方へ下がってくる。
本発明は、これらの問題点を解決するためのものである。
【課題を解決するための手段】
【０００４】  事前に形成した卵型金属フレ−ムを、個々の顔面形状に合わせ、再度曲げ調整を施し顔面形状を合致させ、この金属フレ−ムに外側カバ−を組み付ける。
次に、不織布で形成し、一部の防水処理、水分吸収剤、回りに気密性確保のための軟性材を施した取替え部マスクを組み付けて着用する。
さらに、外側カバ−を使用する事で、顔面に適度の圧力を与え気密性を高めると供に、フレ−ムが鼻の部分とアゴ部に掛かるため、全体のズレを防止する事が出来る。
【発明の効果】
【０００５】  気密性を高める事で、有害物質の排除と飛散防止効果を発揮し、眼鏡の曇り、肌の蒸れ、下方へのズレなども解消する。
以上を特徴とするマスクである。
【発明を実施するための最良の形態】
【０００６】  以下、本発明の実施の形態に付いて説明する。
（イ）金属フレ−ム
事前に形成した卵型金属フレ−ム▲１▼を個々の顔面形状に合わせ再度曲げ調整を行い、顔面と合致させた後、脱着用ビス▲２▼を脱着し、縦方向のフレ−ムに外側マスクカバ−▲８▼を組付け、これを１体化する。
（ロ）取替え用マスク
不織布で形成したマスク部▲３▼に、防水処理▲４▼、吸水剤▲５▼、気密性確保のための軟性材▲６▼を用いて取替え部分とし、これを（イ）で組付けした金属フレ−ム▲１▼の外周に、取り付け用ツメ▲７▼で組付けし１体化する。
（ハ）マスクカバ−
（イ）（ロ）で１体化した後、外側カバ−▲８▼でこれを覆う様に着用する事で、取替部マスク▲３▼に対し適度の圧力がかかり、マスク部▲３▼の軟性材▲６▼と顔面に対する密着度が高まる。このことにより気密性を確保する事が可能となる。
本発明は以上のような構成で、これを使用する事により気密性を実感し、安心感を得るものである。
【図面の簡単な説明】
【０００７】
【図１】  本発明の斜視図
【図２】  本発明の断面図
【符号の説明】
【０００８】▲１▼  金属フレ−ム
▲２▼  脱着用ビス
▲３▼  不織布マスク
▲４▼  防水処理
▲５▼  吸水材
▲６▼  軟性材
▲７▼  組付け用ツメ
▲８▼  外側カバ−
▲９▼  カバ−とフレ−ムの組付け部
【図１】
2010234035.tif 000003
【図２】
2010234035.tif 000004
2010234035.tif 000005
【手続補正書】
【提出日】平成21年6月20日(2009.6.20)
【手続補正１】
【補正対象書類名】明細書
【補正対象項目名】０００７
【補正方法】変更
【補正の内容】
【０００７】
【図１】  マスクカバ−斜視図
【図２】  フレ−ム斜視図
【図３】  取替え部マスク斜視図
【図４】  Ａ−Ａ′断面図
【図５】  Ｂ−Ｂ′断面図
【手続補正２】
【補正対象書類名】図面
【補正対象項目名】全図
【補正方法】変更
【補正の内容】
【図１】
2010234035.tif 000006
【図２】
2010234035.tif 000007
【図３】
2010234035.tif 000008
【図４】
2010234035.tif 000009
【図５】
2010234035.tif 000010
(57)【要約】【課題】  従来の歯ブラシによって無駄に消費されていた資源をできるだけ最小限にする為に機能性を損なわずまた簡素な形状を維持させた毛の部分のみを交換することが可能な歯ブラシを提供する。【解決手段】  図２の柄の部分１と毛の部分２を凹３凸５状で接合しその凹３凸５のそれぞれの先端に溝４と山６を持ち接合時に噛み合うようにさせた。挿入穴の一部に小さな逃げ割り７を設け挿入時にかかる力の負担を軽減させた。  また逃げ割り７を設けることで隙間を小さくしパッチンと嵌め込む事が可能になる。  柄の部分１の凹３を貫通させることでブラシヘッドの厚さを最小限に抑えられ口内に入れたときの違和感を小さくすることが可能になる。【選択図】図３
2010234042.tif 000002
【特許請求の範囲】
【請求項１】
歯ブラシ先端部毛の部分２に凸５を設け柄の部分１に毛の部分２の凸５を受け入れる凹３を設ける。凸５と凹３の接合時の固定の為凹３奥に溝４を設け凸５先端に山６を設ける。凸山６と凹３の挿入口の円周差を逃がす為に凹３入り口の数箇所に小さい割り７を設ける。
【発明の詳細な説明】
【技術分野】
【０００１】      本発明は、資源の無駄を最小限にする為交換時期を迎えた歯ブラシの毛の部分のみを簡単に着脱させ且つ装着時には安定して歯磨きができるよう工夫したものである。
【背景技術】
【０００２】      従来の交換可能な歯ブラシの接合部分は強度を保つ為、毛の背面部分の厚みを最小限にすることが困難である。  またローリング動作を伴う歯磨きに耐えられるものとして不十分な接合で、その動きに耐えられるものとしては歯ブラシの首と柄の肩部分で接合するものが普通である。【０００３】
【特許文献１】特開２００６−０１１６７２
【特許文献２】特開２００６−０６１６５９
【特許文献３】特開２００３−１９９６２２
【特許文献４】特開２００２−１６５６４１
【発明が解決しようとする課題】
【０００４】      以上に述べた従来の交換可能な歯ブラシでは多様な歯磨き動作に耐えられるものとしては不十分でまた首と肩部分で接合するものではまだ資源の無駄を最小限にしたとはいえない。
【課題を解決するための手段】
【０００５】      本発明は上記目的を解決するために毛の部分と柄の部分の接合部分を凹凸状にさせ交換作業を簡単にする。  凹に溝、凸に山を設け嵌め込み時にでる張りを逃がす小さい逃げ割りを設けることで装着時の隙間を小さくし毛の部分と柄の部分に一体感を持たせる。  柄の部分の凹穴を貫通させる事により歯ブラシヘッドの厚みを小さくさせることが可能になる。
【発明を実施するための形態】
【０００６】      以下、本発明の実施の形態を図１〜図３に基づいて説明する。
【０００７】      図１において毛の部分２と柄の部分１が接合した全体像を立体的に表した部分となる。
【０００８】      図２において図１の毛の部分２と柄の部分１を分離し柄の部分１は部分的断面を捉えたものである。
【０００９】      図３において凹３凸５接合部分が固定されるかたちを拡大してあらわしている。
【実施例】
【００１０】      本発明は、単純な形で歯磨き中に毛の部分が外れずかつ従来の強度を維持しながら毛の部分のみを簡単に交換させるものである。
【発明の効果】
【００１１】      本発明はいままで無駄に捨てられていた資源を最小限にするもので且つ口内に入れた時に違和感無く安心して従来と変わらず使用できることができる。
【図面の簡単な説明】
【００１２】
【図１】本発明の全体斜視図
【図２】本発明の部分図
【図３】Ａ−Ａ‘接続部分の詳細図
【符号の説明】
【００１３】１  柄の部分
２  毛の部分
３  凹
４  凹溝
５  凸
６  凸山
７  割り
【図１】
2010234042.tif 000003
【図２】
2010234042.tif 000004
【図３】
2010234042.tif 000005
(57)【要約】【課題】  個人の骨格記録として骨歴ともいえる、成人後で、健常時のレントゲン写真、特に脊椎（以下脊柱とします）の中軸周辺の写真、骨密度他、健康診断時の記録を纏めたものを生涯保存して、万一の遭難・スポ−ツ時の又、転倒による骨折に際して、この情報を、治療・リハビリテ−ションの参考に、原骨格に近い復元、早期の回復を可能にし、又、脊柱の前屈予防の為に調節板による調節可能なコルセット、及び、調節可能な胴衣型コルセットにより、杖による生活、寝たきりや、車椅子・前屈の予防をも可能にする。【解決手段】  何れも、医師の診断・指示により作成されるが、従来型のコルセット本体６、にもポケット５、を設け調節板８、を用い胴衣型コルセットにおいても着用時、左右、上下にずれが少なく、調節が可能である。【選択図】図１
2010234041.tif 000002
【特許請求の範囲】
【請求項１】
個人の骨歴ともいえる、成人して健常な骨格形成のレントゲン写真等特に、からだの中軸・脊椎（以下脊柱とします）周辺の骨格写真及び骨密度等の、個人骨暦の情報を元に、骨折治療・リハビリ時の参考資料として、個々に生涯保存する方法。
【請求項２】
脊柱の前屈予防において、請求項１のレントゲン写真等を参考に、軽度の前屈なら矯正も可能な、調節板ポケット付き胴衣型コルセット及び、前屈予防の調節可能なコルセット。
【請求項３】
〔図４〕１  乳児への授乳期間中、ふいの骨折・捻挫等の際に、請求項２  に係わる胴衣型コルセットにおいては、乳房部に当たる箇所に縫合したブラジャ−部を設けることにより、着用のまま左右に開放、授乳を可能とし、更に、授乳期間は乳房の、自重・上肢・頭部の負荷が両肩にも負担となり、凝りや、頭痛・横隔膜の圧迫による、呼吸障害や、胃等消化器系の変調を起こすことも多々あり、本件は、鎖等で乳房部・ブラジャ−先端の止め具４  後身頃・肩の止め具４  に吊り上げる方法で、両肩合わせて、脊柱への重圧を軽減する。
【請求項４】
上記、請求項２請求項３の本体を、夏向き、冬場の保温タイプ等の素材により、作成、胴衣型コルセット及び、従来型コルセットに、前屈予防用・調節板・授乳期間のブラジャ−タイプに鎖等の吊り金具・吊り具通し、ポケットを設けてなる、脊柱等骨格の情報・骨暦を元に固定・矯正・治療・前屈予防の医療器具として胴衣型コルセット及び、調節可能なコルセットに具備してなる医療器具。
【発明の詳細な説明】
【技術分野】
【０００１】  本発明は個人・骨暦情報を元に骨格治療の固定・矯正・前屈予防の医療機具を具備した胴衣型コルセット及び調節可能なコルセット、生涯保存の骨暦情報に関する。（以下胴衣型コルセットとします）
【背景技術】
【０００２】従来、医師の診断・指示により作成される骨折等治療時のコルセットにおいて、健常時・参考資料等無しに、重篤な複雑骨折等は入院時に、高度な骨折患部の撮影により石膏固定し骨折患部を重点に接骨。コルセットの着装は、回復が進みベッドから起き上がった段階で作成される。
【発明の開示】
【発明が解決しようとする課題】
【０００３】    しかしながら、在宅の、患者の場合、苦痛で就寝中は殆どコルセットの着用がされていない事例が多く、高齢者は回復を遅らせ、遂には寝たきりになるか、車椅子或は、生涯を杖に頼る生活になりがちである。又、直立・二足歩行は、立っているだけでも足や腰・脊柱等で上半身の重さを支えており、古から、農耕民族の我々は、農耕作業の機械が無かった時代、鋤・鍬で田・畑を耕し足腰が疲労により若くても農夫病といわれる腰椎前屈になることがあった。
【課題を解決する為の手段】
【０００４】  従来の医療用コルセットに加え、本発明は防弾胴衣・救命胴衣ならぬ、胴衣型コルセット・調節可能なコルセット請求項２を本体として、着用に際しては、骨折の状態も箇所も異なり、随って治療法も異なる、そのような事態には本件、上記、請求項１骨暦情報を参考に、又患者の症状に併せて治療・リハビリにもコルセットの選択を可能とする。又、前屈の兆候が出た場合、或は、軽度の、前屈なら調節可能なコルセットを用い、医師の診断指示により矯正も、授乳期間の女性において、骨折時も胴衣型コルセットを着用のまま、前身頃・乳房部、請求項３を左右に開き授乳を可能とする。
【発明の効果】
【０００５】    本発明は骨暦の情報を元に骨折時の治療・矯正・前屈を予防するコルセットに関して、在宅患者を含め、製作仕様としては、従来のコルセット同様の素材により、骨折患者の苦痛を和らげ、又、一日も早い回復を、車椅子や在宅の寝たきり、脊柱の前屈予防・矯正、授乳期間の骨折時は着用のまま左右両開き縫合ブラジャ−等を、医師の診断・指示により作成。胴衣型コルセットは、肌着の上に着用するもので、就寝中も着用可能とし、上下・左右にも大きなずれを起こさず、又、授乳期間の乳房の自重は、授乳する人が、肩の凝り・頭痛・等の症状を訴たえるが、本件、胴衣型コルセット〔図４〕１においては、両肩の前・後身頃に鎖等吊り具の、止め具〔図１〕４〔図４〕４を設け、左右両開きの、ブラジャ−を組み込んだ乳房部上部の吊り具に鎖で吊り、後身頃両肩の留め具にセットして乳房・上半身・両腕・頭部の負荷を軽減させる。
〔図２〕の胴衣型コルセット後身頃に、ポケット５調節可能なコルセットのポケット〔図３〕５に〔図３〕８調節板８を用いた、骨格治療の骨暦デ−タを元に固定・矯正・前屈予防の医療器具を具備した胴衣型コルセット及び調節可能なコルセット。
【発明を実施する為の最良の形態】
【０００６】  本発明の胴衣型コルセット及び調節可能なコルセットは〔図１〕１に示されるように、胴衣型コルセット本体にコルセット中央軸心〔図１〕２〔図２〕２  前身頃・後身頃に固定縫合〔図１〕３ベルトを背面に縫合〔図２〕５は後身頃中央にポケットを設け調節板・保温具の出し入れを容易にする。
【実施例】
【０００７】    又、胴衣型コルセットと同じく調節可能なコルセット〔図３〕６調節板・保温具の出し入れの為のポケットを中央部に設ける。以上、二種のタイプの胴衣型１調節可能型６を骨折時の症状、リハビリ、或は、脊柱の前屈予防に適材を適所に、総て医師の診断・指示による。就寝時の長い時間を、苦痛を感じさせず早期の、終日療法で改善・回復を計る。
【図面の簡単な説明】
【０００８】
【図１】本発明に係わる胴衣型コルセット前面の概略図である。
【図２】本発明に係わる胴衣型コルセット背面の概略図である。
【図３】本発明の別種タイプ・調節可能なコルセットの概略図である。
【図４】本発明に係わる授乳期間タイプの胴衣型コルセットの概略図である。
【図５】本発明に係わる授乳期間タイプ〔図４〕１の背面概略図である。
【符号の説明】
【０００９】  １    胴衣型コルセット本体
２    胴衣型コルセット前・背面の固定縫合中央・軸芯
３    ベルト
４    鎖・ベルト等吊り具
５    胴衣型・調節型コルセットの調節板・保温具ポケット
６    調節可能なコルセット本体
７    両面ファスナ−付きベルト
８    調節板
９    胴衣型コルセット両面開閉のブラジャ−部
１０    左右に寄せたタイプのブラジャ−部
【図１】
2010234041.tif 000003
【図２】
2010234041.tif 000004
【図３】
2010234041.tif 000005
【図４】
2010234041.tif 000006
【図５】
2010234041.tif 000007
(57)【要約】【課題】本発明は、造形する立体造形物の形状に合わせて、使用する樹脂の量を変えることのできる光造形装置を提供することを目的とする。【解決手段】本発明の光造形装置は、タンク内の光硬化性樹脂中に配置されたステージの上面にレーザ光を照射して、照射部分の光硬化性樹脂を硬化させつつ積層する造形動作を行なって、所定形状の立体造形物を作製する光造形装置において、タンク内の底面または側面、若しくは底面と側面の両方を可動する手段を備えたことを特徴とする。【選択図】  図１
2010234664.tif 000002
【特許請求の範囲】
【請求項１】
タンク内の光硬化性樹脂中に配置されたステージの上面にレーザ光を照射して、当該照射部分の光硬化性樹脂を硬化させつつ積層する造形動作を行なって、所定形状の立体造形物を作製する光造形装置において、
前記タンク内の底面または側面、若しくは底面と側面の両方を可動する手段を備えたことを特徴とする光造形装置。
【発明の詳細な説明】
【技術分野】
【０００１】
本発明は、光硬化樹脂にレーザ光を照射して立体造形品を形成する光造形装置に係り、特に光硬化樹脂の樹脂量に関するものである。
【背景技術】
【０００２】
光造形装置は、三次元ＣＡＤデータから立体造形物を造形する際に用いられ、短期間で立体造形物の作製が可能である。
【０００３】
光造形技術は、三次元ＣＡＤの形状データを水平方向に輪切りにして変換された等高線データに従って、光硬化性樹脂に紫外線等のレーザ光を照射して、硬化・積層を繰り返すことで、立体造形物を作製するものである（例えば、特許文献１参照。）。
【先行技術文献】
【特許文献】
【０００４】
【特許文献１】特開２００８−２５４２４１号公報
【発明の概要】
【発明が解決しようとする課題】
【０００５】
本発明は、単純な構造によって、造形する立体造形物の形状に合わせて、使用する樹脂の量を変えることのできる光造形装置を提供することを目的とする。
【課題を解決するための手段】
【０００６】
本発明の光造形装置は、タンク内の光硬化性樹脂中に配置されたステージの上面にレーザ光を照射して、照射部分の光硬化性樹脂を硬化させつつ積層する造形動作を行なって、所定形状の立体造形物を作製する光造形装置において、タンク内の底面または側面、若しくは底面と側面の両方を可動する手段を備えたことを特徴とする。
【発明の効果】
【０００７】
本発明の光造形装置によれば、装置内のタンク内部の底面もしくは側面を２部品以上で構成し、その中の少なくとも１部品が独立で動作する手段を備えることにより、タンクの容量を変化することができるため、造形目的に合わせた量の樹脂で造形することが可能である。
【図面の簡単な説明】
【０００８】
【図１】本発明に係る光造形装置の概略構成を示す説明図である。
【図２】光造形装置の一般的な概略構成を示す説明図である。
【図３】本発明の一実施例を説明するための光造形装置の概略構成を示す説明図である。
【発明を実施するための最良の形態】
【０００９】
本発明の実施例について図面を参照しながら説明する。
【００１０】
本発明の実施の形態に係る光造形装置の概略構成について図１を用いて説明する。図１に示すように、光造形装置は、ＵＶレーザ３と、スキャナミラー４と、ステージ５と、エレベータ装置６と、リコータ７と、光硬化性樹脂２と、タンク８と、制御部１とから構成されている。
【００１１】
ＵＶレーザ３は、紫外線レーザ等のレーザ光を出力する。
【００１２】
スキャナミラー４は、等高線データに基づいてレーザ光が所定のパターンを走査するよう、レーザ光の方向を制御する。
【００１３】
ステージ５は、タンク８内に設けられ、立体造形物を作製する台である。本発明は、このステージ５に関するものである。
【００１４】
エレベータ装置６は、テーブルの昇降を制御する。
【００１５】
リコータ７は、光硬化性樹脂液面を平行に移動することで、液面の静定や、泡の除去を行なう。光硬化性樹脂２は、光造形による立体造形物の材料である。
【００１６】
タンク８は、光硬化性樹脂２の容器である。
【００１７】
制御部１は、光造形装置全体の制御を行なう。
【００１８】
立体造形物９は、光造形装置によって造形された物である。
【００１９】
図２は、一般的な光造形装置のタンク８、ステージ１５、立体造形物９の関係位置を示す斜視図である。図のようにタンク８は、ステージ１５に比べ非常に小さなモデルを造形する場合も、光造形装置のタンクの大きさによる決められた量の樹脂を用意する必要がある。
【００２０】
図３は、本発明の一実施例を説明するための斜視図である。造形する立体造形物９がタンク８と比較して非常に小さい場合、ステージ１５を小さいステージ２５に変更し、可動式タンク底部１０を図のように上方向へ移動させることで、タンク容量を小さくして、より少ない樹脂での造形が可能となる。
【００２１】
なお、本発明は上記実施例に限定されるものではなく、可動部分は底部ではなく側面でも良い。また、可動部分の数や形状を問わない。可動部品を駆動する手段は、新規に取り付けても良いし、テーブルを昇降させる手段であるエレベータ装置６を利用しても良い。
【００２２】
本発明の光造形装置によれば、装置内のタンク内部の底面もしくは側面を２部品以上で構成し、その中の少なくとも１部品が独立で動作する手段を備えることにより、タンクの容量を変化することができるため、造形目的に合わせた量の樹脂で造形することが可能である。
【００２３】
以上本発明について詳細に説明したが、本発明は、ここに記載された光造形装置に限定されるものではなく、上記以外の光造形装置に広く適用することができることは言うまでもない。
【符号の説明】
【００２４】
１：制御部、２：光硬化性樹脂、３：ＵＶレーザ、４：スキャナミラー、５，１５，２５：ステージ、６：エレベータ装置、７：リコータ、８：タンク、９：立体造形物、１０： 可動式タンク底部。
【図１】
2010234664.tif 000003
【図２】
2010234664.tif 000004
【図３】
2010234664.tif 000005
(57)【要約】      （修正有）【課題】ランプ交換の煩わしさを無くし、電気料金のコストダウンをはかり、清掃を、安易にするリニューアル用ＬＥＤ照明器具を、提供する。【解決手段】照明器具の既存反射板に合う各形状（埋め込み型、直付け型）の反射板型カバーにＬＥＤを収める。照明カバーにＬＥＤを埋め込むことによりカバー交換のみで照明器具のリニューアルを可能にする。【選択図】図１
2010251271.tif 000002
【特許請求の範囲】
【請求項１】
照明器具のリニューアル用照明器具として既存の場合、照明カバー・安定器・蛍光管・ソケット等を、交換する必要があったが、照明カバーにＬＥＤを、埋め込むことによりカバー交換のみで照明器具のリニューアルを、可能にする。
【発明の詳細な説明】
【技術分野】
【０００１】この発明は、既設の照明器具（埋め込み型、直付型）の本体を再利用して、ＬＥＤ照明器具に再生し、コストダウン、省エネ、環境に配慮した、リニューアル照明器具に関するものである。
【背景技術】
【０００２】従来の照明器具は、電気料金も高く、ランプも熱を持ち寿命も比較的に短く、照明器具の掃除も大変である。
【発明の開示】
【発明が解決しようとする課題】
【０００３】これには次のような欠点があった
（イ）消費電力が高い。
（ロ）ランプの寿命が比較的短い。
（ハ）廃棄物としての処理代が高い。
本発明は、以上のような欠点をなくす為になされたものである
【課題を解決する為の手段】
【０００４】ＬＥＤなので消費電力が小さく電気料金は安くなる。
長寿命なので交換の度の工事、処理回数が減りコストなどが安くなる。
本発明は、リニューアル用に開発したＬＥＤ照明器具である。
【発明の効果】
【０００５】既設の蛍光灯ランプからリニューアル用ＬＥＤ照明器具に交換することにより消費電力、工事費、処理費、等のコストダウンにつながり、環境にも配慮するものである。
【発明を実施するための最良の形態】
【０００６】既設照明器具の安定器、ソケット、照明反射板、ランプを、取り外し照明器具カバー型（埋め込み、直付）ＬＥＤ照明器具を取り付ける。
【図面の簡単な説明】
【０００７】
【図１】本発明の斜視図である。
【図２】本発明の断面図である。
【符号の説明】
【０００８】１        反射板型ＬＥＤ照明器具本体
２        安定器付ＬＥＤ
３        アクリル系パネル
【図１】
2010251271.tif 000003
【図２】
2010251271.tif 000004
(57)【要約】【課題】  一本の蛍光管筒の長さの中で光束を増やし、照度をあげる為の構造を設けた蛍光管。【解決手段】  円柱の蛍光管の筒（１）の内経に空洞（２）を設ける構造をもつ蛍光管。【選択図】図１
2010251274.tif 000002
【特許請求の範囲】
【請求項１】
（１）蛍光管の円筒形管の中心部が空洞の構造を持つ蛍光管。
（２）蛍光管の管筒が円柱形の口金側から見た断面がドーナツ型の構造を持つ蛍光管。
【発明の詳細な説明】
【技術分野】
【０００１】    この発明は蛍光管の内径部に中空構造を設けるものである。
【背景技術】
【０００２】    従来、棒形、円形、Ｕ形、渦巻形等さまざまな形の蛍光管があるが管構造はすべて円柱筒形の構造になっていた。
【発明の開示】
【発明が解決しようとする課題】
【０００３】    この様に円柱構造だと、フィラメントよりの電子が蛍光体に衝突して発光する部分が外側部分の一面のみである。この様に発光面が一面だと光束としては単一面のものであり、蛍光塗料の成分、フィラメント仕様等によりある程度照度を上げたり色温度を調節したりすることは可能であるが管長及びフィラメント間隔が同等であれば光束も一面分であり、よってそれ以上、照度をあげる事は出来ない。
本発明は以上の様な欠点をなくすためになされたものである。【０００４】外側蛍光管［１］の内部に空洞部（２）を設ける（３）フィラメント（４）は口金（５）は端子
【発明の効果】
【０００５】蛍光管の長さが同じ場合の管長＝フィラメントの間隔のとき発光する面が従来の外側管面のみでなく、内側空洞部の内面にも蛍光塗料を塗布する事により発光面積がその分増え、発光面積の増えた分光束が増して結果照度を大きくする事ができる。そのため照明器具もその分小型に出来省エネ効果にもなる。
又中空部に各色のＬＥＤ等を挿入することにより変化に富んだ色模様の発光をさせることもできる。
【発明を実施するための最良の形態】
【０００６】以下、本発明を実施するための最良の形態について説明する。
円柱形の蛍光管の筒（１）の内側部に空洞部（２）を設ける
蛍光管筒の部分にフィラメント（３）を設ける。
蛍光管筒部分にフィラメント（３）を設ける。端末に、口金（４）を設ける。
（５）端子口である。
【図面の簡単な説明】
【０００７】
【図１】    本発明の斜視図である。
【図２】    本発明の断面図である。
【符号の説明】
【０００８】  １    蛍光管筒
２    空洞部
３    フィラメント
４    口金
５    口金端子口
【図１】
2010251274.tif 000003
【図２】
2010251274.tif 000004
(57)【要約】【課題】  一本の蛍光管の長さの中で輝度をあげる為の構造を持つ蛍光管【解決手段】  外側蛍光管筒（１）の内部に独立した蛍光管（２）を設けた多重構造をもつ蛍光管。【選択図】図１
2010251273.tif 000002
【特許請求の範囲】
【請求項１】
（１）蛍光管の同一管筒内において２重の蛍光管の管構造を設けた蛍光管。
（２）蛍光管の同一管筒内において多重の蛍光管の管構造を設けた蛍光管。
【発明の詳細な説明】
【技術分野】
【０００１】    この発明は蛍光管の管筒の内径内に更に蛍光管構造を設けるものである。
【背景技術】
【０００２】    従来、棒形、円形、Ｕ形、渦巻形等さまざまな形の蛍光管があるが管構造はすべて単一管構造のものになっている。
【発明の開示】
【発明が解決しようとする課題】
【０００３】    この様に単一管構造だと、管形状がどの様な形状であっても単一の管構造であるため光束としては単一分のものになり、蛍光塗料の成分、フィラメント仕様等により照度を大きくする様、色温度を調節したりする事は可能であるが単一管構造の物で、発光部が一面であるため、フィラメント間隔が同等の場合にそれ以上光束を増やすことが出来ず、照度をあげる事が出来ない。
本発明は以上のような欠点をなくすためになされたものである。
【問題を解決するための手段】
【０００４】外側蛍光管  （１）  の内部に独立した蛍光管（２）を設ける
（３）は内部蛍光管のフィラメント  （４）は外側の蛍光管のフィラメント
【発明の効果】
【０００５】蛍光管筒の長さが一本の場合の長さ＝フィラメントの間隔のとき二本分の光束が出るため、その分光束が増え、照度を大きくすることができる。
、蛍光管二本使用する照明器具より小型にできる。
【発明を実施するための最良の形態】
【０００６】以下、本発明を実施するための最良の形態について説明する。
外側の蛍光管の筒（１）の内部にその管筒よりも細い蛍光管筒（２）を設ける
外側蛍光管筒の部分にフィラメント（３）を設ける。
内側蛍光管筒の部分にフィラメント（４）を設ける。両管端末に、外側蛍光管、内側蛍光管一体の口金（５）を設ける。
（６）は外側蛍光管フィラメントの端子口（７）は内側蛍光管フィラメントの端子口である。
【図面の簡単な説明】
【０００７】
【図１】    本発明の斜視図である。
【図２】    本発明の断面図である。
【符号の説明】
【０００８】  １    外側蛍光管筒
２    内側蛍光管筒
３    外側蛍光管部フィラメント
４    内側蛍光管部フィラメント
５    口金
６    外側蛍光管部口金端子口
７    内側蛍光管部口金端子口
【図１】
2010251273.tif 000003
【図２】
2010251273.tif 000004